Podtech/llm-jp-corpus-v4-ja_patent huggingface dataset:
(57)【要約】【課題】果実として珍品であるプルーンはビタミン、ミネラルを多く含有していて栄養補助食品として優れているが季節が限られている。このため四季を通して食する加工品を考えた。【解決手段】プルーンをジュースとすること及び砂糖と煮詰めてジャムとすること、或は酵母を加えて発酵させてワインとすることによって、常にビタミン、ミネラルが補給でき、栄養補助品として有効に利用できる。【特許請求の範囲】
【請求項１】
プルーンの搾り汁を採取し、そのまま生ジュースとするか或は少量の糖類を加えて生ジュースとして果実飲料としたプルーンの処理方法。
【請求項２】
プルーンの種を除き少量の水を加えて煮詰め砂糖を加え、或はこれに少量の酢を加えて練りジャムとするプルーンの処理方法。
【請求項３】
完熟したプルーンを潰し、酵母菌を加え、保温して発酵させることにより果実酒を得るプルーンの処理方法。
【発明の詳細な説明】
【０００１】
【発明の属する技術分野】
本発明は米国カリフォルニア州を原産とするバラ科に属するプルーンの処理方法に関する。
【０００２】
【従来の技術】
プルーンはカリフォルニア州のような温帯地方で生産され、赤味がかった濃紫色の梅の実大の果実であって、日本では微かに生産されているのみであって果実の珍品といわれている。
【０００３】
【発明が解決しようとする課題】
そして、このプルーンは季節により微かに店頭に出廻ることもあるが、その多くは生食として食用に供されるのが普通である。
【０００４】
このプルーンには多量のビタミン、ミネラル類が含まれていて健康食品として優れていることが知られている。
【０００５】
【課題を解決するための手段】
即ち、このプルーンにはビタミンＢ１・Ｂ２・Ｂ６及びナイアリン、パントテン酸、プロビタミンＡ、カリウム、ナトリウム、カルシウム、鉄分が含有されていて栄養補助食品として利用される。
【０００６】
そして、このプルーンは前記のように生食として利用されているため、季節的には初夏に店頭に姿を見せるのみであって、それ以外の時期に食することは不能であった。
【０００７】
発明者は、このプルーンを常に得られるように考え試作研究を重ねた結果本発明に到達したものである。
【０００８】
【発明の実施の形態】
本発明はプルーンをジュースとすること、またプルーンをジャムとして保存のできる食品とすること、更には発酵させて果実酒として飲用に供することとし、季節を問わず常時プルーンを食用とすることができ、ビタミン、ミネラルが補給摂取できる栄養補助食品として、提供できるように開発したものである。
【０００９】
【実施例】
例１．完熟したプルーンの種を除いて圧搾して果汁を搾り出すか、又はジューサーにかけて果肉共にジュースとする。或はこれに少量の果糖・ブドー糖等の糖類を加えて甘味のある果実飲料とする。
【００１０】
例２．完熟したプルーンの種を除いて果肉を鍋に入れ少量の水を加えて煮詰め、砂糖を加えて練り上げジャムとする。またこの際の少量の酢を加えることによってプルーン特有の酸味を引き立たせ、ビン詰めとして長期の保存を可能とする。
【００１１】
例３．完熟したプルーンの種を除き、潰して酵母菌を加え、２０℃〜２５℃に保温して発酵させ、発酵液をろ過して熟成させて果実酒とする。
【００１２】
【発明の効果】
上述のように本発明は季節的に限定されているプルーンを、ジュース又はジャムとして、更には果実酒として加工処理し、常に季節を問わず食用として得られるもので、ビタミン、ミネラル成分を補給摂取でき健康維持に画期的な効果を奏する。
(57)【要約】【課題】スッポン料理を簡単に食事提供するための食材料の製造と保存方法であって、冷凍状態にして流通にのせ、広範囲に提供する。【解決手段】生きたスッポンを解体し、生姜等の香りを付け、調味料とアルコールを浸潤させた後にせいろ等で蒸し、次に冷却してゼラチン状になった汁液が付いたままの切身を冷凍することを特徴とする。【選択図】　図２
2004008198.tif 000002
【特許請求の範囲】
【請求項１】
生きたスッポンを解体し、生姜等の香りを付け、調味料とアルコールを浸潤させた後にせいろ等で蒸し、次に冷却してゼラチン状になった汁液が付いたままの切身を冷凍することを特徴とするスッポン料理食材料の製造方法。
【発明の詳細な説明】
【０００１】
【発明の属する技術分野】
この発明は、スッポン料理を簡単で短時間にどこででも、量にとらわれずに調理するための、食材料製造方法に関するものである。
【０００２】
【従来の技術】
従来、スッポン料理は、生きているスッポンを、専門職人の技術で解体して、その場で新鮮なうちに２〜３時間煮て、身をやわらかくしながらスープをとり、その後いろいろの料理に調理し食用に提供していた。
【０００３】
【発明が解決しようとする課題】
これは次のような欠点があった。
スッポンは死んだら食用にならないため、生きたまま保存しなければならず、食するまでには専門職人の技術と調理に時間がかかるため、簡単に食する事が出来なく、また市場に流通しにくいものであった。
本発明は以上の欠点を解決し、専門の職人でない素人にも簡単に調理して、各家庭で使用できるものである。
【０００４】
【課題を解決するための手段】
生きたスッポンを解体し、長ねぎ生姜等の香りを付け、醤油の味付けと日本酒のアルコールを浸潤させ、その後せいろ等で蒸して、臭みや癖を蒸発させてしままう。
次に、冷却してゼラチン状になって凝縮された汁液がついたままの身を冷凍する。
身の部分とスープが一緒に冷凍されたものであるので、それを水に入れ煮立たせることにより、簡単にスッポン料理ができる。
以上が食材料の製造方法である。
【０００５】
【発明の実施の形態】
以下、本発明の実施の形態について説明する。
第１工程　図１に示したように、活スッポンを首や胴体部等の切断部（１）より切断し、スッポン本体より血を抜き解体する。
第２工程　解体したブロック部分を熱湯に通して、表皮をはがして、その後一口大の切身（２）に分解する。
第３工程　上記のスッポンを１ｋｇに対して、日本酒３０ｃｃ、醤油２０ｃｃ、科学調味料等をよく浸潤させ、容器（３）に収容する。
第４工程　図２に示すように長ねぎと生姜（４）を適宜に切り、容器（３）内の切身（２）の上にのせ、その上にスッポンの甲羅（５）をかぶせる。
第５工程　以上の物をせいろ等で約５０分位蒸す。
蒸す事によって、長ねぎ、生姜等の香りと日本酒のアルコールによって、スッポン独特の臭みや癖が蒸発する。またスッポンの切身（２）のの中に味と旨みが凝縮する。
第６工程　せいろで蒸した後に自然に冷却して、長ねぎと生姜（４）等を取り除き、冷蔵庫（５℃位）で冷却する。スッポン切身（２）と切身（２）を浸した液汁がゼラチン状（６）に固まる。
第７工程　上記の切身（２）をバラバラに一つずつ分離し、切身（２）の周囲にゼラチン状になった汁液（６）で被覆したままに、平らな板（７）の上に並べて冷凍庫（−１５℃以上）で凍らせる。
第８工程　冷凍になった切身（２）をバラバラにして、フリーザパック等に入れて冷凍保存する。
本発明は以上の工程により製造された、身の部分とスープの素が一体化した、添加物のない純粋な冷凍食材である。
したがって、このまま流通にのせて、全国の料理店や家庭および海外で食することができる。
本発明を使用して調理する時は、一固りの切身（２）を約３０〜４０ｇに対して、約１５０〜２００ｃｃの水に日本酒少々を鍋に入れ、そこへ冷凍のままの切身（２）を入れ、弱火でゆっくり煮立たせてあくをとり、醤油等で味を整える。生姜汁を少々おとして、癖のないスッポンスープが出来上がる。スッポン鍋にする時は、必要な分量の切身（２）と、それに対しての水の分量で煮て、適当に味付けをすれば良くて、どのようにも工夫次第でスッポン料理ができる。
【０００６】
【発明の効果】
本発明は、冷凍保存が出来るために流通にのせて、全国の料理店および家庭で食することができる。何時でも、一人のお客様でもすぐに臨機応変にスッポン料理を提供することができる。
専門職人も不用である。また少量ずつ使用する事が出来るので、料理の品数も広がる。
【図面の簡単な説明】
【図１】本発明の実施状態を示す解体図
【図２】本発明の実施状態の断面図
【図３】本発明の実施状態の断面図
【図４】本発明の要部を示す断面図
【符号の説明】
１　切断部
２　切身
３　容器
４　長ねぎと生姜
５　甲羅
６　ゼラチン状に固まった凝縮された汁液
７　冷凍のための平ら板
【図１】
2004008198.tif 000003
【図２】
2004008198.tif 000004
【図３】
2004008198.tif 000005
【図４】
2004008198.tif 000006
(57)【要約】【課題】植物性素材を加熱混合したペースト状を呈する食品を連続充填させ、冷却することを特徴とするプロセスチーズ様テクスチャーを有する食品の提供を目的とする。【解決手段】豆乳とカゼインの混合物に植物性油脂を加えて加熱混合したペースト状を呈する食品を、連続充填し冷却して製造されるチーズ様食品で、コレステロール、飽和脂肪酸、乳糖を含まないことを特徴とする。【特許請求の範囲】
【請求項１】
植物性素材を加熱混合したペースト状を呈する食品を連続充填させ、冷却することを特徴とするプロセスチーズ様テクスチャーを有する食品の製造法。
【請求項２】
ペースト状食品は主要組成が豆乳、カゼイン、植物性油脂から成る請求項１記載の製造法。
【請求項３】
油脂成分がオリーブ油、ごま油、米ぬか油、サフラワー油、大豆油、とうもろこし油、なたね油、パーム油、ひまわり油、綿実油、やし油、落花生油から選ばれる一種または二種以上である、請求項２に記載の製造法。
【請求項４】
ミネラル、ビタミン類が食品添加物として認可されている物質から選ばれる一種または二種以上である、請求項２に記載の製造法。
【請求項５】
ペースト状食品に添加される固形状食品が香辛料・ハーブ類および野菜類から選ばれる一種または二種以上である、請求項２に記載の製造法。
【請求項６】
請求項２ないし請求項３または請求項４または請求項５の組み合わせからなる請求項１記載の製造法。
【発明の詳細な説明】
【０００１】
【発明の属する技術分野】
本発明は植物性食品すなわち豆乳、カゼイン、植物性油脂からなる混合物を加熱溶解させることで得られるペースト状を呈する食品を連続充填、および冷却することによって得られるプロセスチーズのようなテクスチャーを有する食品の製造法及び当該方法によって製造された食品に関する。
【０００２】
【従来の技術】
これまでのプロセスチーズは１種以上のナチュラルチーズを乳化・殺菌したもので、乳由来のコレステロール、飽和脂肪酸など動物性脂肪が多く含まれる高カロリー食品である。
【０００３】
【発明が解決しようとする課題】
日本人の食生活は欧風化が進み動物性食品の過剰摂取に起因する生活習慣病が蔓延するなか、植物性食品を利用したチーズ様食品はコレステロール、飽和脂肪酸、乳糖を含まない、しかも日常で不足しがちなビタミン、ミネラルを補強した栄養機能性食品である。
【０００４】
【課題を解決するための手段】
本発明は上記課題を解決するためになされたもので、豆乳とカゼインの混合物に植物性油脂を加えて加熱混合したペースト状を呈する食品を連続充填し冷却して製造されたチーズ様食品を提供することを目的とする。
【０００５】
即ち本発明は豆乳２８−５７％、カゼイン２０−４０％、植物性油脂６−１２％を主要組成とするペースト状食品である。
【０００６】
ミネラル、ビタミン類は２％を越えない範囲で添加され、さらに風味付与の目的でチェダーフレーバー、シーザーズパルメザンフレーバーのような香料、ハラペーニョ、レッドベルペッパーなど各種香辛料が使用される。
【０００７】
このようにして得られた食品は、プロセスチーズのようなテクスチャーを有し、クリープメーター測定値としては破断荷重０．２〜１．４Ｎ（測定条件：品温５℃、プランジャーＮｏ．４９、測定速度０．５ｍｍ／ｓｅｃ、（株）山電ＲＥ２−３３００５Ｓ）程度に調整する。
【０００８】
【発明の実施の形態】
以下に実施例を挙げて本発明をさらに詳細に説明する。これらは例示であって本発明が特に限定されるものではない。
実施例１　二軸スクリュークッカーに豆乳５５−５７％、カゼイン２０−２５％、植物性油脂１０−１２％、および他の混合物を投入し１８０Ｆにて加熱した後サージタンクに移行して攪拌し均一に分散させた。この混合物を充填・シール機能を持つスライスホーマー（１６５Ｆ）に通してスライスチーズサイズに成形し、冷水中を通して冷却することでプロセスチーズ様のテクスチャーを有するスライス食品を得た。
【０００９】
実施例２　二軸スクリュークッカーに豆乳２８−３０％、カゼイン３５−４０％、植物性油脂６−８％、および他の混合物を投入し１８０Ｆにて加熱した後サージタンクに移行して攪拌し均一に分散させた。この混合物をブロック状に成形した後、冷却することでプロセスチーズ様のテクスチャーを有する固形物が得られ、粉砕器を通して粉末状ならびに細断された食品を得た。
【発明の効果】
【発明の効果】
以上のように、本発明により植物性素材から成るプロセスチーズ様のテクスチャーを有する食品が製造できる。
(57)【要約】【課題】従来の藻場・海中林造成においては、環境改善方式・種苗生産方式・栄養繁殖方式にかかわらず、葉芽が藻食性魚介類による食害によって繁殖することがきわめて困難な課題があった。【解決手段】海藻の食害を阻止するためにタマネギ袋１に膨らみをもたせ、ネット上部拡張リング２およびネット下部拡張リング３を固定し４、養殖施設６に多数の垂下網７を吊るし、最適成長垂下養殖深度にタマネギ袋を多数垂下して栄養繁殖させ，これを放養・利用することによって、磯焼け対策や水産資源の増大、地球温暖化対策としての二酸化炭素吸収および、食用、藻食性魚介類の餌料、肥料、飼料、工業原料等に用いる。【選択図】図２
2004008192.tif 000002
【特許請求の範囲】
【請求項１】
海藻の食害を阻止するためにタマネギ袋１に膨らみをもたせ、ネット上部拡張リング２およびネット下部拡張リング３を固定し４、その中に母藻を細割した葉体５をいれ、深度、栄養塩，日照量、水温、海域別の最適成長垂下養殖深度を選択するために、養殖施設６に垂下網７を固定し水深別にタマネギ袋を海中に垂下して２〜３週間後重量測定して選定するとともに、養殖施設に多数の垂下網を吊るし、最適成長垂下養殖深度にタマネギ袋を多数垂下して栄養繁殖させ，これを放養・利用することによって、磯焼け対策、資源の増大対策、地球温暖化対策としての二酸化炭素吸収および、食用、藻食性魚介類の餌料、肥料、飼料、工業原料等に用いる。
【発明の詳細な説明】
【０００１】
【発明の属する技術分野】
本発明は、藻場・海中林造成のための海藻の栄養繁殖法における葉芽食害防止および大量増養殖に関する。
【従来の技術】
従来の藻場・海中林造成における栄養繁殖法は、葉芽が藻食性魚介類による食害によって繁殖することがきわめて困難であった。
【０００３】
【発明が解決しようとする課題】
従来の藻場・海中林造成においては、環境改善方式・種苗生産方式・栄養繁殖方式にかかわらず、葉芽が藻食性魚介類による食害によって繁殖することがきわめて困難な課題があった。
【０００４】
本発明では、藻場・海中林造成において葉芽が藻食性魚介類による食害を防止し磯焼けの海を救い水産資源の持続的拡大と安定をめざすことを目的としている。
【０００５】
【課題を解決するための手段】
上記目的を達成するために、本発明は海藻の栄養繁殖法による母藻を細割したものを藻食性魚介類による食害を防止するために、網目の小さいタマネギ袋にいれて食害を防ぐ。
【０００６】
藻場・海中林造成のための地域別海藻の最適成長度を調査するために、タマネギ袋を水深別に一定の間隔に同重量の細割海藻を入れて１０日から２０日間垂下養殖して光合成・栄養塩・水質環境などによる最適海藻成長水深を調べる。
【０００７】
藻場・海中林造成のため、上記海藻の最適成長水深を目標に母藻を細割してタマネギ袋多数にいれ、これを養殖施設の垂下網に垂下して栄養繁殖させる。
【０００８】
上記の改良海藻栄養繁殖法によって、藻食性魚介類に葉芽を食害されることなく成長した母藻を大量に磯焼けした沿岸域に移植することを繰り返し実施することによって藻場・海中林造成を行うことができる。
【０００９】
【発明の実施の形態】
発明の実施の形態を実施例に基づいて図面を参考にして説明する。
図１において、海藻の食害を阻止するためにタマネギ袋１に膨らみをもたせ、ネット上部拡張リング２およびネット下部拡張リング３を固定し４、その中に母藻を細割した葉体５をいれ、深度、栄養塩、日照量、水温、海域別の最適成長垂下養殖深度を選択するために、養殖施設６に垂下網７を固定し水深別にタマネギ袋を海中に垂下して２〜３週間後重量測定してきめるとともに、養殖施設に多数の垂下網を吊るし、適成長垂下養殖深度にタマネギ袋を多数垂下して栄養繁殖させ，これを放養・利用することによって、磯焼け対策や水産資源の増大、地球温暖化対策としての二酸化炭素吸収および、食用、藻食性魚介類の餌料、肥料、飼料、工業原料などに用いる。
【００１０】
【発明の効果】
本発明は、以上説明したように構成されているので、以下に記載されるような効果を奏する。
【００１１】
藻場・海中林造成のための海藻栄養繁殖法における葉芽食害防止および増養殖法を繰り返し放養することによって、磯焼けとなった沿岸域の藻場・海中林の再生を期することができる。
【００１２】
本発明の藻場・海中林を全国的に大規模造成することによって、海藻の魚礁効果による水産資源の持続的生産をはかることができる。
【００１３】
藻場・海中林を造成することによって、藻食性のアワビ・ウニ・サザエなど養殖の際の生きた餌料として用いることができる。
【００１４】
藻場・海中林を造成することによって、地球温暖化対策としての二酸化炭素吸収・固定化をすることができる。
【００１５】
藻場・海中林を造成することによって、魚介類養殖による水質浄化に役立つことができる。
【００１６】
藻場・海中林を造成する際、深度、栄養塩、日照量、水温、海域別の最適成長垂下養殖深度を選択できる。
【図面の簡単な説明】
【図１】藻場・海中林造成の最適成長垂下深度の縦断面図である。
【図２】葉芽食害防止ネットによる大規模海藻栄養繁殖の養殖施設透視図
【符号の説明】
１、タマネギ袋
２、上部拡張リング
３、下部拡張リング
４、固定
５、葉体
６　養殖施設
７、垂下網
【図１】
2004008192.tif 000003
【図２】
2004008192.tif 000004
(57)【要約】【課題】長芋の栽培方法であって、真直ぐな形の良い長芋を育成すると共に収穫時に芋を傷つけることなく完全な姿で収穫する。【解決手段】長芋の長さに相当する長筒を使用し、この長筒の側面に多数の透水孔を設け、この長筒を畑土の中に埋入し、これに種芋を植付けることによって筒の中で生長するため芋は真直ぐに育ち、収穫するときに筒ごと畑土から引出すもので芋は傷つかずに収穫できる。【選択図】　図１
2004008196.tif 000002
【特許請求の範囲】
【請求項１】
透水孔（２）を側面に多数設けた長筒（１）をドリルで穴を明け畑土中に埋入し、この長筒（１）内に畑土を詰めながら上面に種芋（３）を植付け、芋Ａの生長を待って長筒（１）を掘り出して真直に生長した長芋Ａを収穫することを特徴とした長芋の栽培方法。
【発明の詳細な説明】
【０００１】
【発明の属する技術分野】
本発明は山の恵として美味である自然薯と呼ばれている長芋の栽培方法に関する。
【０００２】
【従来の技術】
従来自然薯と呼ばれている山の芋は、山林の中に自生していて、これを探し当て掘り起し、細くて長くしかも折れ易い自然薯を姿のまま取出すことには根気と労力を要していた。
【０００３】
【発明が解決しようとする課題】
しかし、この芋も最近では畑で人手によって栽培し生産されるようになり、一般にその形状からして長芋と呼ばれるようになっていて、大きさについては様々見られるが、大体は長さが８０ｃｍ、太さが６〜８ｃｍ前後である。
【０００４】
したがって収穫に際しては土中に深く埋まっているため掘出すときは途中で折れて売り物にならなくなることや、畑の中に石などの障害物がある場合には真直ぐに伸びる性質のある芋は曲ってしまい商品価値が下がる嫌いがあった。
【０００５】
【課題を解決するための手段】
発明者はこの点に鑑み鋭意研究を重ねた結果、長芋が真直ぐに生長する性質を利用して円筒型の長筒を使用して、この長筒の中で長芋を栽培することによって、芋は長筒内で真直ぐに生長して立派な商品価値のある長芋を得ることができた。
【０００６】
【発明の実施の形態】
添付図面により本発明の実施の形態を説明すると、図１は畑土の中に埋設する長筒（１）の説明図であって、長さは約９０ｃｍ、径は６〜８ｃｍ程度のものが適当であり、材質は土中で酸化され難いものとして塩化ビニール製のものが適しているが、この材質については特定しない。そしてこの長筒（１）の側面には多数の透水用の小孔（２）を設ける。
【０００７】
図２は長筒（１）を畑土の中に埋入して種芋（３）を長筒の上面に植付けた実施例図を示している。図３は長芋Ａが長筒（１）内で生長した収穫期の状態図であって、このようになって長筒ごと畑土Ｇ中から掘り出し芋Ａを得る。
【０００８】
【実施例】
作られた畝山上にドリルで穴を明け、この穴の中に、図１に示される長さ９０ｃｍ、直径７ｃｍの長筒（１）を埋入する。長筒（１）は塩ビ製であって、筒の全長に亘って側面に透水孔（２）を設けてある。そしてこの長筒（１）内に畑土を充填して上面に種芋（３）を埋めて、図２に示すような植付けが完了する。長筒は図面においては作図上横形にしているが、当然縦で使用する。
【０００９】
途中何回かの施肥や除草を行うが約４ヶ月後作付けした芋は図３に示すように埋設した長筒（１）内で十分生長して立派な長芋Ａとなっている。
【００１０】
収穫は特殊な掘出し機を使用する。この掘出し機によって長筒（１）ごと土中から掘出して長筒（１）内から長芋Ａを引出す。この長芋Ａは長筒（１）によって真直ぐに細長く生長していて商品価値の高いものとして市場に出される。
【００１１】
【発明の効果】
上述のように本発明の長芋の栽培方法は、長筒を使用して、この中で長芋を生長させ、しかも、収穫の際にも長筒のまま掘出して芋を取り出すため、本発明の栽培方法によって育成される長芋は真直ぐに伸びた型のよい芋であって商品価値が高く、しかも収穫に際しては長筒ごと掘出すため芋を傷つけることがないという画期的な作用効果を奏する。
【図面の簡単な説明】
【図１】長筒の説明図
【図２】埋設の実施例図
【図３】収穫期の実施例図
【符号の説明】
（１）…長筒
（２）…透水孔
（３）…種芋
Ａ…長芋
Ｇ…畑土
【図１】
2004008196.tif 000003
【図２】
2004008196.tif 000004
【図３】
2004008196.tif 000005
(57)【要約】【課題】装置の電源ＯＮ・ＯＦＦを被検者が所定の撮影位置に存在するか否かにより行う歯科用Ｘ線装置を提供することにある。【解決手段】被検者が位置付け時に握るハンドルあるいはチンレストまたは被検者が座る椅子に検出手段を設け装置の電源ＯＮ・ＯＦＦを行う。【選択図】　図１
2004008435.tif 000002
【特許請求の範囲】
【請求項１】
歯科用Ｘ線装置において、被写体が所定の撮影位置に存在するか否かを検出するための検出手段を設け、被写体が存在する場合には前記Ｘ線装置の電源を自動的にＯＮし、また被写体が存在しない場合は、前記装置の電源を自動的にＯＦＦするための自動電源ＯＮ・ＯＦＦ機構を設けたことを特徴とする歯科用Ｘ線装置。
【請求項２】
前記検出手段の検出場所が、被験者が位置付け時に握るハンドルあるいはチンレスト又は、被験者が座る椅子に検出手段を設けていることを特徴とする請求項１に記載の歯科用Ｘ線装置。
【請求項３】
請求項２に記載の検出場所の検出手段による自動電源ＯＮ・ＯＦＦ機構を用い、この機構を安全確認機能であるＸ線照射のインターロックとして、装置が複数台あり装置毎に被写体が所定の撮影位置に存在する場合は、Ｘ線照射ができないようにする為の安全確認機構としても使用できることを特徴とする請求項１、請求項２に記載の歯科用Ｘ線装置。
【発明の詳細な説明】
【０００１】
【発明の属する技術分野】
本発明は、被験者が所定の撮影位置に存在するか否かにより装置の電源をＯＮ・ＯＦＦする歯科用Ｘ線装置に関する。
【０００２】
【従来の技術】
歯科用Ｘ線装置の電源のＯＮ・ＯＦＦは、従来、装置に設けられている電源スイッチにより行われている。これは、装置を使用した後も電源スイッチをＯＦＦするまで、装置に電源が供給されている。
【０００３】
【発明が解決しょうとする課題】
装置の電源ＯＮ・ＯＦＦを被験者が所定の撮影位置に存在するか否かにより行う歯科用Ｘ線装置を提供することにある。
【０００４】
【課題が解決しようとする手段】
上記の課題を解決するために本発明は、被験者が位置付け時に握るハンドルあるいはチンレストまたは被験者が座る椅子に検出手段を設け、装置の電源ＯＮ・ＯＦＦを行う。
【０００５】
【発明の実施の形態】
本発明は、以上に述べたように被験者が所定の撮影位置に存在するか否かにより、装置の電源をＯＮ・ＯＦＦすることができ、電源の切り忘れがなくなり節電に繋がる。また安全確認機能としてＸ線照射のインターロックとしても使用できる歯科用Ｘ線装置を提供する。
【０００６】
【実施例】
図１は、歯科用デンタルＸ線装置における１実施例である。図において、所定の撮影位置にある椅子１に被検者が座ることで、椅子１の内部に設けられた検出器Ａ２により被検者を検出して、自動的に装置の電源をＯＮする。また被検者が所定の撮影位置に存在しない場合は、自動的に電源をＯＦＦする。図２は、歯科用パノラマＸ線装置における１実施例である。図において、被検者が所定の撮影位置に存在する場合は、ハンドル３あるいはチンレスト４に設けられけた検出器Ｂ５，検出器Ｃ６により自動的に装置の電源をＯＮする。また被検者が所定の撮影位置に存在しない場合は、自動的に電源をＯＦＦする。図３及び図４は、ハンドル及びチンレスト部分における検出器の取り付けの１実施例を示す。また図５は、検出器による自動電源ＯＮ・ＯＦＦ回路の１実施例であり検出器２及び５，６により被検者が存在するか否かを検出して、電源開閉器７をＯＮ・ＯＦＦさせるものである。
【０００７】
【発明の効果】
本発明は、以上に説明したような形態で実施されるため装置の電源のＯＮ・ＯＦＦを手動で行う必要がなくなり、電源の切り忘れがなく節電に繋がる。またＸ線照射のインターロックとして使用することにより、被検者への被曝の低減にもつながり安全性の高い省電力型の歯科用Ｘ線装置を提供することができる。
【０００８】
【図面の簡単な説明】
【図１】歯科用デンタルＸ線装置の１実施例を示す。
【図２】歯科用パノラマＸ線装置の１実施例を示す。
【図３】ハンドル部分の検出器の１実施例を示す。
【図４】チンレスト部分の検出器の１実施例を示す。
【図５】自動電源ＯＮ・ＯＦＦ回路の１実施例を示す。
【符号の説明】
１　椅子
２　検出器Ａ
３　ハンドル
４　チンレスト
５　検出器Ｂ
６　検出器Ｃ
７　電源開閉器
【図１】
2004008435.tif 000003
【図２】
2004008435.tif 000004
【図３】
2004008435.tif 000005
【図４】
2004008435.tif 000006
【図５】
2004008435.tif 000007
(57)【要約】【課題】遊泳の補助具として、簡易・安全に使用できると共に、周囲に対しても害を及ぼす虞れのない遊泳具を提供せんとする。【解決手段】本体１が厚みを有する扁平体であって、この本体１の前方部２には密閉空間４を、後方部３は後端面に開口部８を設けた開放空間９を形成し、開放空間９に推進用スクリュー１０を、密閉空間４には前記推進用スクリュー１０の駆動源を装置したことを特徴とするものである。本体１の中央部の上下面が膨らんだ１４扁平体とし、後方部３の上下面に開放空間９内に通じる透孔１５を有するものとしてもよい。【選択図】図２
2004008452.tif 000002
【特許請求の範囲】
【請求項１】
本体が厚みを有する扁平体であって、この本体の前方部には密閉空間を、後方部は後端面に開口部を設けた開放空間を形成し、開放空間に推進用スクリューを、密閉空間には前記推進用スクリューの駆動源を装置したことを特徴とする遊泳具。
【請求項２】
本体の中央部の上下面が膨らんだ扁平体である請求項１記載の遊泳具。
【請求項３】
後方部の上下面に開放空間内に通じる透孔を有する請求項１又は２記載の遊泳具。
【発明の詳細な説明】
【０００１】
【発明の属する技術分野】
本発明は遊泳具に関するものであり、手で持ったり、背中に装着して泳いだり、浮輪やマットに取り付けて泳いだりするものに関する。
【０００２】
【従来の技術】
従来の遊泳具に関する器具のうち、自走式の器具は水上スクーターに類するものであって、内燃機関を動力源として装備し、水上を走れるようにしたものがある。
【０００３】
そして、前記水上スクーターに類するものは、乗り物としての特徴が顕著で、遊泳の補助具としての目的を欠いたものである。
又、遊泳場所で使用するには、普通の遊泳者に充分な注意を払わなければならない場合も存するのである。
【０００４】
【発明が解決しようとする課題】
そこで、本発明は遊泳の補助具として、簡易・安全に使用できると共に、周囲に対しても害を及ぼす虞れのない遊泳具を提供せんとするものである。
【０００５】
【課題を解決するための手段】
本発明は、本体が厚みを有する扁平体であって、この本体の前方部には密閉空間を、後方部は後端面に開口部を設けた開放空間を形成し、開放空間に推進用スクリューを、密閉空間には前記推進用スクリューの駆動源を装置したことを特徴とするものである。
又、本体の中央部の上下面が膨らんだ扁平体とし、或いは後方部の上下面に開放空間内に通じる透孔を有するものとしてもよい。
【０００６】
本体が扁平体であるため浮力が大きく、前方部は密閉空間で、後方部は開放空間であるから軽量であって、かつ密閉空間は浮力を大きくする作用を為す。
そして、中央部に膨らみを設けることで、扁平体が中央部分で折曲して変形するのを防止すると共に、浮力を中央部で大きくして、バランスを良くして安定させる作用も奏するのである。
【０００７】
又、開放空間内に推進用スクリューを装置してあるため、推進用スクリューの回転によって、後端面の開口部から開放空間内の水が押し出され、前方へ推進力を得られるのである。
上下面は壁面で、推進用スクリューのカバーと成るため、推進用スクリューに触れる危険はなく、上下面に開放空間内に通じる透孔を設けることによって、開放空間内の水の流れをスムーズとし、推進作用を促進させるものとなる。
【０００８】
そして、前方部の密閉空間内に推進用スクリューの駆動源を装置したため、該空間内に水が浸入して駆動源に故障の原因となることを防止しているのである。
【０００９】
したがって、本体を水中へ浮かすことによって、推進用スクリューの推進力を有する浮きボードとして利用することができるのである。
【００１０】
【発明の実施の形態】
次に、本発明の実施の形態を図面に基づいて説明する。
図１は本発明の一実施の形態を示す斜視図、図２は同縦断側面図である。
【００１１】
本体１は厚みを有する扁平体で、平面が長方形状を成し、例えば合成樹脂等であって、軽量で浮力の高い材質が望ましい。本体１の内部は前方部２と後方部３に分かれて、夫々の空間が形成されている。
前方部２は密閉空間４と成し、上下・側壁は必要な強度の壁面を残した空間とし、内部にモーター５、電池６が連係して装置してあり、前面端にはＡＣキャップ７が着脱可能に装着してある。
【００１２】
後方部３は、後端面に開口部８を有する開放空間９と成し、この開放空間９内には推進用スクリュー１０が装置してある。
開放空間９の上下巾は、この推進用スクリュー１０が支障なく回転できるのに充分な巾で足り、側壁も厚めとし、開口部８から開放空間９内に身体の一部やその他の物が入って、推進用スクリュー１０に巻き込まれないように安全性を確保している。
【００１３】
推進用スクリュー１０は前記モーター５を駆動源とし、充電式モーター５の回転軸１１が中間仕切壁１２を貫通し、開放空間９へ突き出した先端に推進用スクリュー１０を装着したものである。
又、電流量を切り換えてモーターの回転数を変化させる速度切換スイッチ１３を、後方部３の両側に設けた持手用孔１６、１６の一方側に取り付けてある。
【００１４】
図３は、他の実施の形態を示す斜視図であり、本体１は中央部において上下に膨らみ１４を形成した扁平体状となし、強度を得るようにすると共に、材質の軽量化を図ることができ、浮力も大きく作用することが期待できる。
この場合も、前方部２の密閉空間４はモーター５や電池６の大きさに関係なく、できるだけ広大な空間を得られるようにし、軽量化と浮力の増大を図るものとする。
一方、後方部３の開放空間９は中央部の膨らみ１４とは関係せず、該部分は肉厚の上下壁と成っている。
【００１５】
又、後方部３の上下壁面には多数の透孔１５、１５…を開放空間９内に連通して形成することも有益である。
推進用スクリュー１０の回転で、開口部８から押し出される水の供給を、開放空間９内へ順調確実に行えるようにできるものである。
透孔１５、１５…は形状は任意に選択できるものであるけれど、小さな透孔であることが望ましく、安全性を確保できるようにすることは前記と同様である。
【００１６】
【発明の効果】
以上のように、本発明は遊泳の補助具として、従来にない簡易性と安全性を有し、補助具自体が推進力を有して自走するため、手でもって浮きボードのように、又背中に装着して泳いだり、更に浮輪や浮きマットに取り付けて使用する等の多様な使用方法を選択できるものである。
【００１７】
本体を扁平状としたこと、前方部を密閉空間として駆動源を装置したこと、後方部を開放空間として推進用スクリューを装置したことによって、材質を問わず、軽量で浮力の高い形態を得られたものであり、駆動源を水から隔離し、推進用スクリューによる危害を防止すると共に、推進力を効率的に得られる効果を有するものである。
【図面の簡単な説明】
【図１】本発明の一実施の形態を示す斜視図である。
【図２】図１の縦断側面図である。
【図３】本発明の他の実施の形態を示す斜視図である。
【符号の説明】
１　本体
２　前方部
３　後方部
４　密閉空間
５　モーター
６　電池
７　ＡＣキャップ
８　開口部
９　開放空間
１０　推進用スクリュー
１１　回転軸
１２　中間仕切壁
１３　切換スイッチ
１４　膨らみ
１５　透孔
１６　持手用孔
【図１】
2004008452.tif 000003
【図２】
2004008452.tif 000004
【図３】
2004008452.tif 000005
(57)【要約】【課題】この発明は、かけ布団の跳ねを防いで、風邪や寝冷えを防ぐことにある。またベッドより上布団が、ズレ落ちることが防げる。【解決手段】かけ布団の両端を、跳ねによる引張りに耐える、クリップ▲６▼等の止め具で固定する、ふとんを跳ねたとき、巾が挾まることなく上下する。【図１】の▲５▼又【図３】の▲１５▼により力が上方に逃げる。跳ねが戻ればふとんも元に戻る。【選択図】　図１
2004008781.tif 000002
【特許請求の範囲】
【請求項１】
（イ）図１の（９）（３）（４）からなる柱をふとんの両側に立てる。
（ロ）柱（４）にクリップ取付用の付いた上下してもコジレの起りにくい器具パイプ等を装着する。
（ハ）クリップ等でふとんの両端を固定する。
（ニ）図は引張りが２ヶ所であるが、４ヶ所でもよい。
（ホ）以上の如く構成された、かけぶとん跳ね防止具。
【発明の詳細な説明】
【０００１】
【発明の属する技術の分野】
この発明は、就寝中知らぬ間に、子供又、大人が布団を跳ねて風邪を引いたり寝冷えを防ぐことに関するものであります。
【０００２】
【従来の技術】
２０数年前孫が布団を跳ねて、風邪ばっかり引いて固っている、何かよい方法はないかと頼まれたことがありますが、其の時代とあまり進歩したものがないようです。昨年中部日本新聞の生活相談に、子供が布団を跳ねて固っている、何かよい方法を教えて下さいあり。中日新聞読者の答えに、（イ）大人の腹巻をさせて外に出てもよいようにしている。（ロ）寝袋を使っている。（ハ）ヒーターを奮発している。（ニ）四すみに重りを置いたり弾性のもので引張っておく。
テレビ番組ＣＢＣの伊藤家の裏わざで、掛け布団の両側に布団を置いて、長い敷布を、かけ布団の上に橋渡しにして、その摩擦によってずれを防ぐもあり、寝返りには、効果あれど、跳ねには、ずれっぱなしで効果も少ないようです。鐘はなりましたが、これも僅かな効果のようです。昔は添寝などもした。
しかし動く度に目がさめる。座布団を足に縛りつけて寝せる。自由がきかないと恐い夢を見るともいわれます。寝返り、跳ねは就寝中の大切な運動だそうです。（昼のオモイキリテレビみのもんたより）
以上の如くあまり進歩的な技術はなかったように思われます。
【０００３】
【発明が解決するための課題】
皆んなが確実な方法がなくて困っているが、仕方のないものと、あまり研究していなかった。この発明により、風邪を引いたり、寝冷えを少なくすることができればよい。
【０００４】
【課題を解決するための手段】
その構成を説明すると、（図１）の▲３▼と▲９▼とからなる十文字型の台に柱▲４▼をたてに取付け、その外径にスムーズに上下できるパイプ▲５▼を取り付けそれにクリップ▲６▼を取付ける。台▲７▼には重りを置く、寝た状態で布団の両端を固定する。
【０００５】
【発明の実施の形態】
手や足で布団を跳ね上げても、上下のみ移動して、巾に変りがない、又寝返りしても布団を巻きこんで背中などでない。頭の方への乗り出しには、ボール箱に重りを入れて防げはよい。なお▲４▼や▲５▼は丸型でなく角型等でもよい。（図３）の如く保持具▲１５▼を横に長く作っておけば、跳ねの場合図のように斜めとなり、コジレもなく一点が摩擦となる方法もある。
【０００６】
【発明の実施例】
本発明の具体化した実施例を図面に基づいて説明します。
（図１）はかけ布団を両手足で跳ね上げても、布団の巾に変りなくスムーズに上方に逃げる、跳ねが止まれば元に戻る図である。パイプ▲５▼はコジレによる抵抗が少ないように長がめにできている。布団は肌に当るもの（毛布など）を固定して上の重ね布団は固定しなくてもよい。図面は引張りクリップが左右直角であるが、布団の四すみを対角線の方向からクリップするとよい。両側を固定しているから、寝返りしても背中がでない、柱▲４▼は左右別々であるが、布団の下を通して連結してもよい。（図２）は寝台で使用するとき▲１１▼を縛りつけて、▲４▼と▲５▼を保持する正面片側の略図である。（図３）は別の方法。
【０００７】
【発明の効果】
これによって、親が安眠できる利点がある。布団の跳ねによる風邪や寝冷えを減少することができれば、社会にとっても大きな利益となる。
【０００８】
【図面の簡単な説明】
【図１】正面図は就寝中布団を両手と足で跳ねたところの略図。
【図２】正面図は、寝台等で▲９▼▲３▼の台が置けない時寝台の柱などに▲１１▼を縛りつけて▲４▼▲５▼の保持具の略図である。
【図３】正面図は跳ねを示す別の方法の略図。
【０００９】
【符号の説明】
１・・・寝ている人　　２・・・まくら　　　　　３・・・台
４・・・柱　　　　　　５・・・上下するパイプ　６・・・クリップ
７・・・重り　　　　　８・・・敷布団　　　　　９・・・十字型の台
１０・・・上布団　　　１１・・・▲４▼と▲５▼支へ台
１２・・・▲４▼と▲１１▼の連結具　１３・・・押しねぢ
１４・・・クリップ取付ダボ
１５・・・クリップ保持具
【図１】
2004008781.tif 000003
【図２】
2004008781.tif 000004
【図３】
2004008781.tif 000005
【手続補正書】
【提出日】平成14年7月31日(2002.7.31)
【手続補正１】
【補正対象書類名】明細書
【補正対象項目名】〔０００７〕〔発明の効果〕
【補正方法】追加
【補正の内容】
【０００７】
【発明の効果】
これによって、親が安眠できる利点がある、布団の跳ねによる、風邪や、寝冷えを減少することができれば、社会にとっても大きな利益となる。またベッドによる布団のズレ落ちを防ぐことができ、ベッド族にもよろこばれる。
(57)【要約】　　　（修正有）【課題】茶の成分を余すことなく簡単に搾り出す。【解決手段】蓋の中心部に穴があり上下作動棒１を手動により下方に押し、手を放せばスプリング３の働きにより上方に戻り、簡単に茶を圧縮鋼８により漉すことができる。なお、図中押し手１３と圧縮網５は上下作動棒１に固定され、圧縮綱５には補強材６が固定されており安心して使用できる。【選択図】図１
2004008784.tif 000002
【特許請求の範囲】
【請求項１】
『容器７．の中に茶等を入れるための受け網９．を配置し、フタ１２．に開けた穴に上下作動棒１．を上下に移動可能に差し込み、この上下作動棒１．の下端に圧縮網８．を取り付け、フタ２と上下作動棒１．の間にスプリング３．を配置し、スプリング力に逆らって上下作動棒１．を下におすと、圧縮網８．を受け網９．に押し付け可能』であるきゅうす。
【発明の詳細な説明】
〔発明の属する技術分野〕
本発明はきゅうすに関するものである。
〔従来の技術〕
緑茶等などは、茶葉等をきゅうすのこし網に入れその上から湯をそそぎ、ストレートで飲まれている。ポットを使い上記同様に飲まれている。
〔発明が解決しようとする課題〕
きゅうすに湯をそそいだ後は、茶葉の成分が溶け出るまで待つ必要がある。また、希望する濃さに調整することができない。
〔課題を解決するための手段〕
本発明のきゅうす
『容器７．の中に茶等を入れるための受け網９．を配置し、フタ１２．に開けた穴に上下作動棒１．を上下に移動可能に差し込み、この上下作動棒１．の下端に圧縮網８．を取り付け、フタ２と上下作動棒１．の間にスプリング３．を配置し、スプリング力に逆らって上下作動棒１．を下に押すと、圧縮網８．を受け網９．に押し付け可能』であるきゅうす。
としたことを特徴としている。
〔発明の実施の形態〕
図１．図２．図３．は本発明を適用したきゅうすの実施例を示す図である。本例のきゅうすＡは容器７．とフタ１１．を有している。容器７．の開口部には茶葉等を入れる受け網９．が着脱可能に入れてある。図２のフタ１１．は、フタ本体１２．と、フタ本体１１．の中心にあけた貫通穴１４．に上下移動可能に通した上下作動棒１．と、上下作動棒１の下端に固定した圧縮網５と、フタ本体１２．および上下作動棒１．の頭部１３．の間に入れたスプリング３．とを有している。圧縮網５．は、網本体８．と補強材６．から構成されている。上下作動棒１．により受け網９．の底に茶葉を入れて図３の状態とし、手動により上下作動棒１．を押すと茶等を漉し茶の成分を余すことなく圧力によって簡単に絞り出すことが出来る。すなわち上下作動棒１．の頭部１３．に手を当て下方に押すことにより茶葉等１０．が圧縮され茶等の成分をあますことなく絞り出すことができる。手を離すと上下作動棒１．はスプリング力により図３．の状態に戻る。
〔発明の効果〕
本発明によれば、上下作動棒を押すことにより茶葉等の成分を抽出でき、茶等を希望の濃さにすることが簡単にできる。
【図面の簡単な説明】
【図３】本発明のきゅうすの一例を示す断面図である。
【図２】図３．のきゅうすにおける主要部分を取り出して示す説明図である。
【図１】図３．のきゅうすにおける上下作動棒および圧縮網を示す説明図である。
【符号の説明】
Ａ　　‥‥きゅうす　　　　　８　　　‥‥圧縮網本体
１．　‥‥上下作動棒　　　　９　　　‥‥受け網
２・４‥‥ワッシャー　　　　１０　　‥‥茶葉等
３．　‥‥スプリング　　　　１１　　‥‥フタ
５．　‥‥圧縮網　　　　　　１２　　‥‥フタ本体
６　　‥‥補強材　　　　　　１３　　‥‥上下作動棒の頭部
７　　‥‥容器　　　　　　　１４　　‥‥貫通穴
【図１】
2004008784.tif 000003
【図２】
2004008784.tif 000004
【図３】
2004008784.tif 000005
【手続補正書】
【提出日】平成14年10月25日(2002.10.25)
【手続補正１】
【補正対象書類名】図面
【補正対象項目名】全図
【補正方法】変更
【補正の内容】
【図１】
2004008784.tif 000006
【図２】
2004008784.tif 000007
【図３】
2004008784.tif 000008
(57)【要約】【課題】取り付け台に三つの輪を設け、三枚の板の装飾品を付けることにより、簡単にかんざし形状のイヤリングを作製でき、新しい発想が生まれる装飾品部品を提供する。【解決手段】取り付け台（１）の下部に三個の輪（２）を設け、それぞれの輪（２）に一枚づつ板（３）を設ける。【選択図】　図１
2004008734.tif 000002
【特許請求の範囲】
【請求項１】
取り付け台（１）の下部に輪（２）を設け、それぞれの輪（２）に金属の板（３）を取り付けたイヤリング装飾品取り付け台。
【発明の詳細な説明】
【０００１】
【発明の属する技術分野】
この発明は、取り付け台の下部に輪を設け、輪に金属の板を設けたイヤリング装飾品取り付け台に関するものである。
【０００２】
【従来の技術】
従来、取り付け台の下部に一個の輪を付けた装飾品取り付け台があった。
【０００３】
【発明が解決しようとする課題】
これには次のような欠点があった。
（イ）　輪が一つしかないので、二つ以上の飾りは付けられなかった。
（ロ）　金属の板を取り付けたものはなかった。
本発明は、これらの欠点を解決するためになされたものである。
【０００４】
【課題を解決するための手段】
取り付け台（１）の下部に輪（２）を設け、それぞれの輪（２）に金属の板（３）を設ける。
本発明は、以上のような構成よりなるイヤリング装飾品取り付け台である。
【０００５】
【発明の実施の形態】
以下、本発明の実施の形態について説明する。
取り付け台（１）の下部に輪（２）を三個設け、それぞれの輪（２）に金属板（３）を三枚設ける。
本発明は以上のような構造で、これを使用する時は、取り付け台（１）に取り付けたい装飾品を接着させて使用する。
【０００６】
【発明の効果】
金属の板三枚を取り付けることにより、かんざし形状のイヤリングを簡単に作ることができる。
取り付け台には好みの造花を設ける。
【図面の簡単な説明】
【図１】本発明の斜視図である。
【図２】本発明の正面図である。
【図３】本発明の他の実施例を示した正面図である。
【符号の説明】
１　取り付け台
２　輪
３　板
【図１】
2004008734.tif 000003
【図２】
2004008734.tif 000004
【図３】
2004008734.tif 000005
(57)【要約】【課題】従来の盤上、球転がしゲームの構造上の画期的転換を図り多種類にゲームを展開できうる機器主体である。盤の大小も勿論可能で大型ゲーム盤の場合、２人が向かい合い各々が２本の握り棒を上下左右に動かしながら盤上のボールを所定の穴にゲームで定めた順に誘い入れる少しの敏捷性を必要とするあらゆる年齢層に興味深い遊具を提供できる。小型ゲーム盤では下方台座は必要なく半球形支持具のみで卓上や床、畳の上で球戯可能である。【解決手段】今迄にない盤自体を両手で動かし球戯するには盤中央を支点とする支持台が必要で今般、その物を開発した。主体のゲーム盤は穴の設計数量により多種の遊戯内容を作成できる。【選択図】図７
2004008733.tif 000002
【特許請求の範囲】
【請求項１】
ゲーム盤（１）の左右前後を上下に自在に動かせて球を転がす為のゲーム盤中心部に付ける支持具（７）．
【発明の詳細な説明】
【０００１】
【発明に属する技術分野】
この発明はゲーム盤を動かしボールを移動させる逆転の発想でその盤台を自在に動かせる支持台の形状と盤の大小に関わる寸法。
【０００２】
【従来の技術】
既存の盤状ゲーム、ビリヤード、スマートボール等は固定台でキューやバネの反動を利用して球を目的点まで入れて遊ぶ方法だった。すなわち盤や台は固定式に限られていた。
【０００３】
【発明が解決しようとする課題】
従来の盤型ゲームでは固定台で球のみを動かす方法でゲームルールが制約され遊べる形態、種類が少なかった。盤を動かして球戯をする発想が無かった。ビリヤード等は技術的に難儀で誰でも容易にとはいかなかった。
【０００４】
【課題を解決するための手段】
従来の固定式から新案支持具（７）によりゲーム盤を両手で四方上下動かせるようにした。本発明は当の構成により種々ルールのゲーム盤機を作製できる。
【０００５】
【発明の実施の形態】
（イ）球が転がり移動するゲーム盤と成す為にゲーム盤本体の底面に半円球の成型物を取り付ける半球状の材質は硬質樹脂、木製他の固定物で作成する。
（ロ）下部置台の中央に半球支持物の受け器凹形、を取り付けてこの台に（イ）のゲーム盤を乗せると支持物の高さの分だけ四辺左右上下に傾斜角度、方向を両手で自在に動かすことが可能になる。凸半球型支持具の高さ（半径）はゲーム盤長辺の長さにより数値が決まるが球の最速の転がりに必要な角度を得るためには円形、角型共、支持物の高さは長辺長×０．０５％は必要でゲーム盤、半球形支持物、台座の３点で１セットとなる。ゲーム盤上の球体をスタート位置から的の穴をめがけて盤を様々に動かし穴に入れる。
【０００６】
【発明の効果】
本発明を使用することにより斬新な機能を持つゲーム機器の完成商品となり、一般の人々は勿論、老人や身体障害者の人々も屋内において運動機能、体力に拘らず対面してゲームを行ない心身の健康上、有効な遊戯器具と言える．ゲーム盤の特異性、ゲームの方法形態は無数に展開出来、飽きることなく楽しめる機器として社会に貢献出来る事と信じる。ゲーム盤は大型、小型、対面用と一人遊戯用と用途により広く対応できる。年少者の玩具としても最適である。本発明の基軸であるゲーム盤の自在動作により多角的多伎種の製品を生み出す事が確実に可能である。
【図面の簡単な説明】
【図１】ゲーム盤全図
【図２】ゲーム盤底板
【図３】台座箱側面
【図４】台座箱上面
【図５】支持具本体
【図６】支持具支え
【図７】ゲーム機平面図一例
【符号の説明】
１　ゲーム盤全体図
２　ゲーム操作ハンドル左右各一人
３　ボール的穴入れ順番号付
４　スタート位置囲い
５　ボール落し処理板
６　ボール出口
７　中央支持具（凸部）
８　支持具支え金具（凹部）
９　ゲーム終了時ボール寄せ場
１０　台座箱平面図
【図１】
2004008733.tif 000003
【図２】
2004008733.tif 000004
【図３】
2004008733.tif 000005
【図４】
2004008733.tif 000006
【図５】
2004008733.tif 000007
【図６】
2004008733.tif 000008
【図７】
2004008733.tif 000009